(57)【要約】【課題】コネクタカップリングは、コネクタ本体と、自身の内面から延在する複数の歯を有する第１のカラーと、第１のカラーを受容すると共に第１のカラーに対して軸線方向に移動可能な第２のカラーと、を備える。【解決手段】ラチェットリングは、コネクタ本体によって支持され、第１のカラーの複数の歯に対応する複数の歯を有する。ラチェットリングは、係合位置と係合解除位置との間でコネクタ本体に対して軸線方向に移動可能である。付勢部材は、ラチェットリングに隣り合うコネクタ本体によって支持される。付勢部材は、係合位置においてラチェットリングを付勢する。ラチェットリングが係合位置に位置する場合に、ラチェットリングの第２の歯群が第１のカラーの第１の歯群に係合し、ラチェットリングが係合解除位置に位置する場合に、ラチェットリングの第２の歯群が第１のカラーの第１の歯群と第２のカラーに係合するラチェットリングとから離隔する。【選択図】図２
2011100732.tif 000002
【特許請求の範囲】
【請求項１】
コネクタ本体と、
前記コネクタ本体に回転可能に結合されている第１のカラーであって、前記第１のカラーの内面から延在している複数の歯から成る第１の歯群を有している前記第１のカラーと、
前記第１のカラーを受容する第２のカラーであって、前記第１のカラーに対して軸線方向に移動可能な前記第２のカラーと、
前記コネクタ本体によって支持されているラチェットリングであって、前記第１のカラーの前記複数の歯に対応している複数の歯から成る第２の歯群を有しており、係合位置と係合解除位置との間において前記コネクタ本体に対して相対的に軸線方向に移動可能な前記ラチェットリングと、
前記ラチェットリングに隣り合っている前記コネクタ本体によって支持されている付勢部材であって、前記係合位置において前記ラチェットリングを付勢する前記付勢部材と、
を備えているコネクタカップリングにおいて、
前記ラチェットリングの前記第２の歯群が、前記ラチェットリングが前記係合位置に位置している場合に、前記第１のカラーの前記第１の歯群に係合し、
前記ラチェットリングの前記第２の歯群が、前記ラチェットリングが前記係合解除位置に位置している場合に、前記第１のカラーの前記第１の歯群と前記第２のカラーに係合している前記ラチェットリングとから離隔されていることを特徴とするコネクタカップリング。
【請求項２】
前記第１のカラーの前記複数の歯が、互いに間隙を介して配置されている突出部であって、前記第１のカラーの端部から内側に延在している前記突出部から延在していることを特徴とする請求項１に記載のコネクタカップリング。
【請求項３】
前記第２のカラーが、互いに間隙を介して配置されている複数の突出部であって、前記第２のカラーの端部から延在している複数の前記突出部を含んでおり、
前記第２のカラーが、前記第１のカラーの間隙を介して配置された複数の前記突出部同士の間に形成されているスロットに対応していることを特徴とする請求項２に記載のコネクタカップリング。
【請求項４】
前記第１のカラーの内側には、ネジ部が形成されていることを特徴とする請求項１に記載のコネクタカップリング。
【請求項５】
前記第１のカラーは、前記コネクタ本体に対して相対的に軸線方向において固定されていることを特徴とする請求項１に記載のコネクタカップリング。
【請求項６】
前記第１のカラーが、単一の方向のみにおいて前記コネクタ本体に対して相対的に回転可能とされることを特徴とする請求項１に記載のカップリングコネクタ。
【請求項７】
前記第１のカラーの前記複数の歯が、前記単一の方向において前記ラチェットリングの前記複数の歯に対して係止されることを特徴とする請求項６に記載のカップリングコネクタ。
【請求項８】
前記第１のカラーの前記複数の歯それぞれが、少なくとも１つの略平坦な表面と、前記略平坦な表面に対して傾斜している少なくとも１つの傾斜面とを有しており、
前記ラチェットリングの前記複数の歯それぞれが、一方向ラチェットを提供するために、前記第１のカラーの前記複数の歯の前記略平坦な表面と前記傾斜面とに対応している略平坦な表面と傾斜面とを有していることを特徴とする請求項７に記載のコネクタカップリング。
【請求項９】
前記付勢部材が、前記コネクタ本体の環状のフランジと前記ラチェットリングとの間に配置されていることを特徴とする請求項１に記載のコネクタカップリング。
【請求項１０】
前記付勢部材が、波形バネであることを特徴とする請求項９に記載のカップリングコネクタ。
【請求項１１】
前記ラチェットリングが、前記コネクタ本体の環状のフランジと前記第２のカラーとの間に配置されていることを特徴とする請求項１に記載のコネクタカップリング。
【請求項１２】
前記ラチェットリングが、前記コネクタ本体と前記第１のカラーとの間に配置されており、
前記ラチェットリングが、前記コネクタ本体及び前記第１のカラーの両方に対して相対的に滑動可能とされることを特徴とする請求項１に記載のコネクタカップリング。
【請求項１３】
前記ラチェットリングが、互いに対して反対側に位置している第１の表面及び第２の表面を有しており、
前記第１の表面が、前記付勢部材に係合するように適合されており、
前記第２の表面が、前記第２のカラーに係合するように適合されていることを特徴とする請求項１に記載のコネクタカップリング。
【請求項１４】
コネクタ本体と、
前記コネクタ本体に回転可能に結合されている第１のカラーであって、互いに間隙を介して配置され、前記第１のカラーから内方に延在している複数の突出部であって、前記突出部同士の間に複数のスロットを形成している前記突出部から成る第１の突出部群を有している前記第１のカラーと、
前記第１のカラーの前記突出部それぞれから延在している歯から成る第１の歯群と、
前記第１のカラーを受容していると共に前記第１のカラーに対して相対的に軸線方向に移動可能な第２のカラーであって、互いに間隙を介して配置され、前記第２のカラーから内方に延在している複数の突出部であって、前記突出部同士の間に複数のスロットを形成している前記突出部から成る前記第２のカラーであって、前記第２のカラーの前記複数のスロットが前記第１のカラーの前記突出部を受容するように適合され、前記第１のカラーの前記複数のスロットが前記第２のカラーの前記突出部を受容するように適合されている、前記第２のカラーと、
前記コネクタ本体によって支持されているラチェットリングであって、係合位置と係合解除位置との間において前記コネクタ本体に対して相対的に軸線方向に移動可能なラチェットリングと、
前記ラチェットリングから延在している第２の歯群であって、前記第１のカラーの前記第１の歯群に対して相補的な前記第２の歯群と、
前記ラチェットリングに隣り合っている前記コネクタ本体によって支持されている付勢部材であって、前記係合位置において前記ラチェットリングを付勢している前記付勢部材と、
を備えているコネクタカップリングにおいて、
前記ラチェットリングが前記係合位置に位置している場合に、前記ラチェットリングの前記第２の歯群が、前記第１のカラーの前記第１の歯群に係合しており、前記ラチェットリングの前記第２の歯群が、前記第１のカラーの前記第１の歯群から離隔されており、
前記ラチェットリングが前記係合解除位置に位置している場合に、前記ラチェットリングが、前記第２のカラーに係合していることを特徴とするコネクタカップリング。
【請求項１５】
前記第１の歯群及び前記第２の歯群が、前記第１のカラーが単一方向のみにおいて前記コネクタ本体に対して相対的に回転可能とされるように、一方向ラチェットを形成していることを特徴とする請求項１４に記載のコネクタカップリング。
【請求項１６】
前記第１の突出部群が、前記第１のカラーの端部から径方向内方に延在しており、前記第１の突出部群の前記突出部それぞれが、互い対して反対側に位置している内面及び外面を有していることを特徴とする請求項１４に記載のカップリングコネクタ。
【請求項１７】
前記第１の歯群の前記歯それぞれが、少なくとも１つの略平坦な表面と、前記略平坦な表面に対して傾斜している少なくとも１つの傾斜面とを有していることを特徴とする請求項１４に記載のカップリングコネクタ。
【請求項１８】
前記ラチェットリングが、互いに対して反対側に位置している第１の表面及び第２の表面を含んでおり、
前記第１の表面が、前記付勢部材に当接するように適合されており、
前記第２の表面が、前記第２のカラーに当接するように適合されていることを特徴とする請求項１４に記載のカップリングコネクタ。
【請求項１９】
前記第２の歯群の前記歯それぞれが、少なくとも１つの略平坦な表面と、前記略平坦な表面に対して傾斜している少なくとも１つの傾斜面とを有していることを特徴とする請求項１４に記載のカップリングコネクタ。
【請求項２０】
前記ラチェットリングと前記付勢部材とが、前記コネクタ本体の環状のフランジと前記第２のカラーとの間に配置されていることを特徴とする請求項１４に記載のコネクタカップリング。
【請求項２１】
コネクタ本体と、
前記コネクタ本体に回転可能に結合されている第１のカラーと、
前記第１のカラーを受容していると共に、前記第１のカラーに対して相対的に軸線方向に移動可能な第２のカラーと、
前記第１のカラーが前記第１の方向において前記コネクタ本体に対して相対的に回転可能とされるように、且つ、前記第１のカラーが前記第１の方向の反対方向である第２の方向において前記コネクタ本体に対して相対的に回転不能とされるように、一方向ラチェットとして前記コネクタ本体と前記第１のカラーとを結合するためのラチェット手段であって、係合位置と係合解除位置との間において前記コネクタ本体に対して相対的に軸線方向に滑動可能とされる前記ラチェット手段と、
前記コネクタ本体によって支持されている付勢部材であって、前記係合位置において前記ラチェット手段を付勢する前記付勢部材と、
を備えているコネクタカップリングにおいて、
前記ラチェット手段が前記係合解除位置に位置している場合に、前記第２のカラーが、前記ラチェット手段に係合していることを特徴とするコネクタカップリング。
【発明の詳細な説明】
【技術分野】
【０００１】
本発明は、電気コネクタのための防振カップリングに関する。より具体的には、該防振カップリングは、相手コネクタ（mating connector）と係合し、振動又は衝撃を受けた場合に電気コネクタが逆回転することを防止することを提供する。
【背景技術】
【０００２】
電気コネクタ組立体は、一般に結合プラグとレセプタクルコネクタとを含んでいる。ネジ部を有しているナット又はカラーが、結合プラグとレセプタクルコネクタとを結合するために利用されている場合がある。しかしながら、振動又は衝撃が電気コネクタ組立体に作用した場合に、該電気コネクタ組立体の結合コネクタが緩んだり、場合によっては係合解除されることがある。通常、カップリングナットが逆回転することに起因して緩みや係合解除が発生することによって、言い換えれば、該カップリングナットが結合方向又はロック方向の反対方向に回転することによって、プラグコネクタとレセプタクルコネクタとの機械的接続及び電気的接続の両方の完全性が損なわれる。
【０００３】
電気コネクタ組立体のための従来技術に基づくカップリングの例としては、特許文献１、特許文献２、特許文献３、特許文献４、特許文献５、特許文献６、特許文献７、特許文献８、及び特許文献９が挙げられる。これら特許文献それぞれが、参照によって本明細書に組み込まれている。
【先行技術文献】
【特許文献】
【０００４】
【特許文献１】米国特許第６２９３５９５号明細書
【特許文献２】米国特許第６１２３５６３号明細書
【特許文献３】米国特許第６０８６４００号明細書
【特許文献４】米国特許第５９５７７１６号明細書
【特許文献５】米国特許第５４３５７６０号明細書
【特許文献６】米国特許第５３９９０９６号明細書
【特許文献７】米国特許第４２０８０８２号明細書
【特許文献８】米国特許第３９１７３７３号明細書
【特許文献９】米国特許第２７２８８９５号明細書
【発明の概要】
【発明が解決しようとする課題】
【０００５】
従って、本発明は、コネクタ本体と、自身の内面から延在している複数の歯を有している第１のカラーと、第１のカラーを受容すると共に、第１のカラーに対して軸線方向に移動可能な第２のカラーと、を備えているコネクタカップリングに関する。ラチェットリングは、コネクタ本体によって支持されており、第１のカラーの複数の歯に対応している複数の歯を有している。ラチェットリングは、係合位置と係合解除位置との間においてコネクタ本体に対して相対的に軸線方向に移動可能とされる。付勢部材は、ラチェットリングに隣り合っているコネクタ本体によって支持されている。付勢部材は、係合位置においてラチェットリングを付勢している。ラチェットリングの第２の歯群が、ラチェットリングが係合位置に位置している場合に、第１のカラーの第１の歯群に係合し、ラチェットリングの第２の歯群が、ラチェットリングが係合解除位置に位置している場合に、第１のカラーの第１の歯群と第２のカラーに係合しているラチェットリングとから離隔する。
【課題を解決するための手段】
【０００６】
また、本発明は、コネクタ本体と、コネクタ本体に回転可能に結合されている第１のカラーであって、第１のカラーから内方に延在している離隔された突出部から成ると共に突出部同士の間に複数のスロットが形成されている、第１の突出部群を有している第１のカラーと、を備えているカップリングコネクタに関する。第１の歯群は、第１のカラーの突出部それぞれから延在している歯から成る。第２のカラーは、第１のカラーを受容していると共に第１のカラーに対して相対的に軸線方向に移動可能とされ、第２のカラーから内方に延在している離隔された突出部から成る第２の突出部群を有していると共に突出部同士の間に複数のスロットを形成している。第２のカラーの複数のスロットが、第１のカラーの突出部を受容するように適合されており、第１のカラーの複数の突出部が、第２のカラーの突出部を受容するように適合されている。ラチェットリングが、コネクタ本体によって支持されており、係合位置と係合解除位置との間においてコネクタ本体に対して相対的に軸線方向に移動可能とされる。第２の歯群は、ラチェットリングから延在している。第２の歯群は、第１のカラーの第１の歯群に相補的とされる。付勢部材は、ラチェットリングに隣り合っているコネクタ本体によって支持されており、係合位置においてラチェットリングを付勢している。ラチェットリングの第２の歯群が、ラチェットリングが係合位置に位置している場合に、第１のカラーお第１の歯群に係合し、ラチェットリングの第２の歯群が、第１のカラーの第１の歯群から離隔され、ラチェットリングが、ラチェットリングが係合解除位置に位置している場合に、第２のカラーに係合する。
【０００７】
コネクタカップリングは、コネクタ本体と、コネクタ本体に回転可能に結合されている第１のカラーと、第１のカラーを受容していると共に、第１のカラーに対して相対的に軸線方向に移動可能な第２のカラーと、を備えている。一方向ラチェットのためのラチェット手段は、第１のカラーが第１の方向においてコネクタ本体に対して相対的に回転可能とされるように、且つ、第１のカラーが第１の方向の反対方向である第２の方向においてコネクタ本体に対して相対的に回転不能とされるように、コネクタ本体と第１のカラーとを結合している係合している。ラチェット手段は、係合位置と係合解除位置との間においてコネクタ本体に対して相対的に軸線方向に滑動可能とされる。付勢手段は、コネクタ本体によって支持されており、係合位置においてラチェット手段を付勢する。第２のカラーが、ラチェット手段が係合解除位置に位置している場合に、ラチェット手段に係合する。
【０００８】
本発明における他の目的、利点、及び顕著な特徴は、添付図面と共に、本発明の好ましい実施例を開示している以下の発明の詳細な説明を参照することによって明らかとなる。
【０００９】
本発明に関する、より完全な評価及び多くの利点については、添付図面に関連して考慮する際に以下の発明の詳細な説明を参照することによって、より深く理解することができるようになる。
【図面の簡単な説明】
【００１０】
【図１】コネクタ本体に配置されているカップリングを表わす、本発明の一の実施例におけるカップリングの斜視図である。
【図２】図１に表わすカップリング及びコネクタ本体の断面図である。
【図３】図１に表わすカップリング及びコネクタ本体の分解斜視図である。
【図４】図１に表わすカップリングの内側カラーの断面図である。
【図５】図４に表わす内側カラーの端面図である。
【図６】図１に表わすカップリングの外側カラーの断面図である。
【図７】図６に表わす外側カラーの端面図である。
【図８】係合位置におけるカップリングを表わす、図１に表わすカップリングの端面の部分斜視図である。
【図９】係合解除位置におけるカップリングを表わす、図８に類するカップリングの端面の部分斜視図である。
【発明を実施するための形態】
【００１１】
図１〜図９に表わす本発明は、例えばプラグレセプタクルコネクタのような電気コネクタ組立体のための防振カップリング１００に関する。防振カップリング１００は、好ましくは係合位置（図８参照）と係合解除位置（図９参照）との間において防振カップリング１００を移動させることによって、電気コネクタ組立体の接続部同士が手動でのみ係合解除可能とされるような、一方向ラチェット係合を提供する。防振カップリング１００は、好ましくはコネクタ本体１０２に配置されており、図２に表わすように、内側カラー２０４と外側カラー２０６とラチェットリング２０８と付勢部材２１０とを含んでいる。
【００１２】
図１及び図２は、電気コネクタ組立体のコネクタ本体１０２に結合されている防振カップリング１００を表わす。コネクタ本体１０２は、例えばシェル状のプラグコネクタである。好ましい実施例では、内側カラー２０４がコネクタ本体１０２を受容しており、外側カラー２０６が内側カラー２０４を受容している。好ましくは、ラチェットリング２０８がコネクタ本体１０２と内側カラー２０４との間に配置されており、付勢部材２１０がコネクタ本体１０２と外側カラー２０６との間に配置されている。
【００１３】
図２、図４、及び図５に最良に表わすように、内側カラー２０４は、例えばレセプタクルコネクタのような相手コネクタ（図示しない）に係合するための雌ネジ部分４０２が形成された本体４００と、ラチェットリング２０８に係合するための第１の歯群４０４とを含んでいる。本体４００は、互いに反対側に配置された第１の端部４０６及び第２の端部４０８であって、第１の開口部４１０及び第２の開口部４１２がそれぞれ形成されており、コネクタ本体１０２が貫通して延在している第１の端部４０６及び第２の端部４０８を含んでいる。
【００１４】
複数の突出部４２０から成る第１の突出部群が、本体４００の第２の端部４０８から延在している。突出部４２０は、第２の開口部４１２が第１の開口部４１０よりも小さくなっているように、内側カラーの本体４００の第２の開口部４１２の直径ｄを規定している。各突出部４２０は、互いに反対側に配置された第１の表面４２２と第２の表面４２４とを含んでいる。内側の表面４２２が本体４００の雌ネジ部４０２に面しており、外側の表面４２４が本体４００の外側に面している。図５に最良に表わすように、突出部４２０同士の間には、スロット４３０が形成されている。
【００１５】
図４及び図９に表わすように、第１の歯群４０４は、各突出部４２０の内側の表面４２２から延在している。第１の歯群４０４の各歯が、好ましくは各突出部４２０の内側の表面４２２に対して略垂直な平面９０２と、平面９０２に対して傾斜している傾斜面９０４とを含んでいる。
【００１６】
内側カラー２０４は、該内側カラーがコネクタ本体１０２に対して相対的に回転可能とされるように、コネクタ本体１０２に結合されている。しかしながら、該内側カラーが軸線方向においてコネクタ本体１０２に対して移動することが、保持クリップ２２０によって制限されている（図２及び図３参照）。より具体的には、保持クリップ２２０が、コネクタ本体１０２を囲んでおり、内側カラー２０４の内側環状溝部分内に配置されている。コネクタ本体１０２の外側フランジ２３０が、保持クリップ２２０と内側カラー２０４とがコネクタ本体１０２に対して相対的に軸線方向前方に移動することを防止するように、ストッパを形成している。保持リング３２０は、内側カラー２０４が反対方向すなわち軸線方向後方に移動することを制限している。
【００１７】
外側カラー２０６は、内側カラー２０４を囲んでおり、内側カラー２０４を手動でロック解除するための機構を備えている。外側カラー２０６は、内側カラー２０４及びコネクタ本体１０２に対して相対的に軸線方向に滑動するように構成されている。図２、図６、及び図７に表わすように、外側カラー２０６は、一般に互いに反対側に配置されていると共に第１の開口部６０６及び第２の開口部６０８それぞれが形成されている、第１の端部６０２及び第２の端部６０４を備えた本体６００を含んでいる。第１の開口部６０６は内側カラー２０４を受容する大きさとされ、第２の開口部６０８はコネクタ本体１０２のみを受容する大きさとされる。本体６００は、外側カラー２０６の回転運動及び軸線方向の運動を可能とする外側把持面６１０を含んでいる。
【００１８】
突出部６２０から成る第２の突出部群は、本体６００の第２の端部６０４から延在しており、本体６００の第２の開口部６０８の直径ｄを規定している。外側カラー２０６の第２の開口部６０８は、内側カラー２０４の第２の開口部４１２と略同一の大きさとされる。図７に表わすように、スロット６３０が突出部同士の間に形成されている。第２の突出部群の突出部６２０それぞれが、互いに反対側に配置された内側表面６２２及び外側表面６２４を含んでいる。第２の突出部群の突出部６２０それぞれが、内側カラー２０４のスロット４３０に対応又は一致するように形成されている。同様に、第１の突出部群の突出部４２０それぞれが、外側カラー２０６のスロット６３０に対応するように形成されている。
【００１９】
図２及び図３に表わすように、ラチェットリング２０８は、外側フランジ２３０と外側カラー２０６との間においてコネクタ本体１０２に配設されている。ラチェットリング２０８は、互いに反対側に配置された第１の表面３００と第２の表面３０２とを含んでいる。第１の表面３００は、略平坦であり、付勢部材２１０に係合するように適合されている。第２の表面３０２は、該第２の表面から延在している第２の歯群３０４を含んでいる。該第２の歯群は、内側カラー２０４の第１の歯群４０４を一方向ラチェット係合にて係合するように適合されている。内側カラー２０４の第１の歯群４０４の歯と同様に、ラチェットリング２０８の第２の歯群３０４の歯それぞれが、ラチェットリング２０８の第１の表面３００に対して略垂直とされる略平坦な第１の表面９１０と、平坦な第１の表面９１０に対して傾斜している第２の表面９１２とを含んでいる。
【００２０】
防振カップリング１００をコネクタ本体１０２に組み付けた場合には、外側カラー２０６が内側カラー２０４を囲んでいる状態において、コネクタ本体１０２が、内側カラー２０４の第１の開口部４１０及び第２の開口部４１２と外側カラー２０６の第１の開口部６０６及び第２の開口部６０８とを貫通して延在する。保持クリップ３２０が、外側カラー２０６の外側においてコネクタ本体１０２に設けられていることによって、内側カラー２０４と外側カラー２０６とラチェットリング２０８と付勢部材２１０とが、コネクタ本体１０２に保持される。保持クリップ２２０によって、内側カラー２０４のコネクタ本体に対する軸線方向の運動が制限される。接地バンド３４０が、コネクタ本体１０２と内側カラー２０４との間に設けられている。
【００２１】
例えば波形バネ（wave spring）である付勢部材２１０は、図８に表わすように、防振カップリング１００を係合位置に向かって付勢している。係合位置では、内側カラー２０４が、雌ネジ部４０２を介して相手コネクタに結合するために、一方向のみに回転可能とされる。内側カラー２０４の第１の歯群４０４とラチェットリング２０８の第２の歯群３０４とがそれぞれ、前端部１０４から見た場合に一方向のみに、例えば反時計回りのみに回転又はラチェッティングが可能となるが、反対方向への回転、すなわち逆回転することができないように形成されている。このような配置によって、振動に起因して相手コネクタとの係合が解除されることを防止することができる。より具体的には、第１の歯群４０４の傾斜面９０４と第２の歯群３０４の傾斜面９１２とによって、内側カラー２０４が、例えばラチェットリング２０８及びコネクタ本体１０２に対して相対的に時計回りに回転可能とされ、又はラチェットによる係止可能とされる。第１の歯群４０４の平坦な表面９０２と、第２の歯群３０４の略垂直な表面９１０とが互いに当接するので、内側カラー２０４が反対方向に回転することが防止され、又はラチェットによる内側カラー２０４の係止が解除されることが防止される。
【００２２】
図８に表わす係合位置では、内側カラー２０４の第１の歯群４０４が、ラチェットリング２０８の第２の歯群３０４と係合している。さらに、内側カラー２０４の突出部４２０が、外側カラー２０６のスロット６３０内に受容されている。同様に、外側カラー２０６の突出部６２０が、内側カラー２０４のスロット４３０内に受容されている。内側カラーの突出部４２０の外側表面４２４と外側カラーの突出部６２０の外側表面６２４とがそれぞれ、略面一の状態になっている。また、図８に最良に表わすように、外側カラー２０８の突出部６２０の内側表面６２２が、ラチェットリング２０８の歯３０４のうち幾つかの歯に当接している。
【００２３】
防振カップリング１００は、内側カラー２０４が反対方向に、例えばコネクタ本体１０２の前端部１０４から見た場合に時計回りに回転可能となるように、手動でロック解除可能とされる。手動によるロック解除によって、内側カラー２０４の雌ネジ部分４０２が相手コネクタから結合解除される。防振カップリング１００をロック解除するために、外側カラー２０６が、内側カラー２０４及びコネクタ本体１０２に対して相対的に軸線方向前方に向かって、すなわちコネクタ本体１０２の前端部１０４に向かって移動される。外側カラー２０６が、第１の歯群４０４と第２の歯群３０４とを分離させるために付勢部材２１０の付勢力に抗して移動する。
【００２４】
図９は、カップリング１００が手動でロック解除された後における、係合解除位置に位置しているカップリング１００を表わす。外側カラー６２２が前方に移動されるにつれて、外側カラー２０６の突出部６２０の内側表面６２２が、付勢部材２１０の付勢力に抗してラチェットリング２０８の歯を押圧するので、第２の歯群３０４が内側カラーの第１の歯群４０４から離隔される。図９に表わすように、外側カラーの突出部６２０の外側表面６２４と内側カラーの突出部４２０の外側表面４２４とが、面一の状態ではなくなっており、軸線方向前方に移動されている。ラチェットリング２０８の第２の歯群３０４と内側カラー２０４の第１の歯群４０４とが、現段階において互いから離隔しており、内側カラー２０４が、コネクタ本体１０２に対して相対的に両方向に自由に回転可能とされる。
【００２５】
本発明を説明するために特定の実施例が選定されているが、当業者であれば、特許請求の範囲に規定される本発明の技術的範囲を逸脱することなく、本発明が属する技術分野において様々な変化例及び改良例を実施することができることは説明するまでもない。例えば、任意の数の突出部４２０を内側カラー２０４に設けることも、任意の数の突出部６２０をラチェットリング２０８に設けることも可能である。また、付勢部材は、波形バネに限定される訳ではなく、任意の形式の付勢機構、例えば圧縮バネであって良い。
【符号の説明】
【００２６】
１００  防振カップリング
１０２  コネクタ本体
２０４  内側カラー
２０６  外側カラー
２０８  ラチェットリング
２１０  付勢部材
２２０  保持クリップ
２３０  外側フランジ
３００  第１の表面
３０２  第２の表面
３０４  第２の歯群
３２０  保持リング
３４０  接地バンド
４００  本体
４０２  雌ネジ部分
４０４  第１の歯群
４０６  第１の端部
４０８  第２の端部
４１０  第１の開口部
４１２  第２の開口部
４２０  突出部
４２２  第１の表面（内側の表面）
４２４  第２の表面（外側の表面）
６００  本体
６０２  第１の端部
６０４  第２の端部
６０６  第１の開口部
６０８  第２の開口部
６０６  第１の開口部
６０８  第２の開口部
６１０  外側把持面
６２０  突出部
６２２  内側表面
６２４  外側表面
６３０  スロット
９０２  平面
９０４  傾斜面
９１０  第１の表面
９１２  第２の表面
【図１】
2011100732.tif 000003
【図２】
2011100732.tif 000004
【図３】
2011100732.tif 000005
【図４】
2011100732.tif 000006
【図５】
2011100732.tif 000007
【図６】
2011100732.tif 000008
【図７】
2011100732.tif 000009
【図８】
2011100732.tif 000010
【図９】
2011100732.tif 000011
【外国語明細書】
2011100732.tif 000012
2011100732.tif 000013
2011100732.tif 000014
2011100732.tif 000015
2011100732.tif 000016
2011100732.tif 000017
2011100732.tif 000018
2011100732.tif 000019
2011100732.tif 000020
2011100732.tif 000021
2011100732.tif 000022
2011100732.tif 000023
2011100732.tif 000024
2011100732.tif 000025
2011100732.tif 000026
2011100732.tif 000027
2011100732.tif 000028
2011100732.tif 000029
2011100732.tif 000030
2011100732.tif 000031
2011100732.tif 000032
2011100732.tif 000033
2011100732.tif 000034